(57)【要約】  【課題】  外側リング部材を内側リング部材に対して回転できる改良された装飾品を提供する。  【解決手段】  外周に突起１１が設けられている内側リング部材１と、外側リング部材２とから構成される。内側リング部材１の外周部（突起１１を含む）は外側リング部材２の凹溝２１内に収容され、内側リング部材１上の突起１１は外側リング部材２の凹溝２１に当接する。内側リング部材１と外側リング部材２とは突起１１が凹溝２１内で摺動することで回転する。  【選択図】  図１
2005074859.tif 000002
【特許請求の範囲】
【請求項１】
内側リング部材と、
前記内側リング部材の外周に設けられ前記内側リング部材に対して回転自在な外側リング部材とを有してなる、ことを特徴とする装飾品。
【請求項２】
前記内側リング部材の外周面と前記外側リング部材の内周面とが、周方向において少なくとも３箇所で当接されている、ことを特徴とする請求項１記載の装飾品。
【請求項３】
前記内側リング部材の外周面または前記外側リング部材の内周面に周方向において離間して設けられた少なくとも３つの突起をさらに有してなり、前記突起が前記外側リング部材の内周面または前記内側リング部材の外周面に当接されており、前記突起を前記内周面または外周面に摺接させることで前記外側リング部材が前記内側リング部材に対して回転自在に保持される、ことを特徴とする請求項２記載の装飾品。
【請求項４】
前記外側リング部材の内周に形成された凹溝内に前記内側リング部材の外周部が収容される、ことを特徴とする請求項２または３記載の装飾品。
【請求項５】
前記突起の少なくとも前記内周面との当接部分が球面状である、ことを特徴とする請求項３または４記載の装飾品。
【請求項６】
少なくとも３つの保持部材をさらに有してなり、前記保持部材を前記外側リング部材と内側リング部材の一方に固着し且つ前記保持部材の端部を前記外側リング部材と内側リング部材の他方の外周面または内周面に当接させることで前記外側リング部材が前記内側リング部材に対して回転自在に保持される、ことを特徴とする請求項２記載の装飾品。
【請求項７】
前記内側リング部材の外周面に凹溝が形成されており、前記外側リング部材には前記保持部材の取付部が形成されており、前記外側リング部材に取付けた前記保持部材の内周端部が前記凹溝の外周面に当接されている、ことを特徴とする請求項６記載の装飾品。
【請求項８】
装飾品が指輪である、ことを特徴とする請求項１から７のいずれかに記載の装飾品。
【請求項９】
装飾品が腕輪である、ことを特徴とする請求項１から７のいずれかに記載の装飾品。
【発明の詳細な説明】
【技術分野】
【０００１】
本発明は、装飾品に関し、より詳しくは、指輪や腕輪のようなリング状つまり環状の装飾品に関するものである。
【背景技術】
【０００２】
指輪や腕輪などのリング状の装飾品では、貴金属などの金属製のリング状の本体に装飾用として各種の宝石を鑞付けしたり、あるいは本体表面に彫り込みなどの加工を行うことで装飾を施したものが広く使用されている。
【発明の開示】
【発明が解決しようとする課題】
【０００３】
本発明は、外側リング部材を内側リング部材に対して、好ましくは滑らかに、回転させることができる、改良された構造の装飾品を提供することを課題とする。
【課題を解決するための手段】
【０００４】
即ち、本発明の装飾品は、内側リング部材と、前記内側リング部材の外周に設けられ前記内側リング部材に対して回転自在な外側リング部材とを有してなることを特徴とする。
【０００５】
好ましい実施形態においては、前記内側リング部材の外周面と前記外側リング部材の内周面とが方向において少なくとも３箇所で当接されている。
【０００６】
上記好ましい実施形態において、さらに、前記内側リング部材の外周面または前記外側リング部材の内周面に周方向において離間して設けられた少なくとも３つの突起をさらに有してなり、前記突起が前記外側リング部材の内周面または前記内側リング部材の外周面に当接されており、前記突起を前記内周面または外周面に摺接させることで前記外側リング部材が前記内側リング部材に対して回転自在に保持される。また、この場合において、好ましくは、前記外側リング部材の内周に形成された凹溝内に前記内側リング部材の外周部が収容される。さらに、好ましくは、前記突起の少なくとも前記内周面との当接部分が球面状である。
【０００７】
上記好ましい実施形態において、あるいは、少なくとも３つの保持部材をさらに有してなり、前記保持部材を前記外側リング部材と内側リング部材の一方に固着し且つ前記保持部材の端部を前記外側リング部材と内側リング部材の他方の外周面または内周面に当接することで前記外側リング部材が前記内側リング部材に対して回転自在に保持される。この実施形態においては、例えば、前記内側リング部材の外周面に凹溝が形成されており、前記外側リング部材には前記保持部材の取付部が形成されており、前記外側リング部材に取付けた前記保持部材の内周端部が前記凹溝の外周面に当接する。
【０００８】
本発明の装飾品は、例えば、指輪や腕輪などのリング状の装飾品に適用される。
【発明の効果】
【０００９】
本発明の装飾品では、内側リング部材に対して外側リング部材を回転させることができるものである。特に、上記のように内側リング部材内周面と外側リング部材外周面とを周方向において少なくとも３箇所で当接ないし接触（点接触または線接触）させることで、内側リング部材内周面と外側リング部材外周面とのがたつきを格段に小さくできる。
【００１０】
また、上記のように内側リング部材内周面と外側リング部材外周面とを少なくとも３箇所で当接させる構造とした場合、外側リング部材が内側リング部材に対して浮き上がったような状態となる。このため、内側リング部材を着用者の指や腕にフィットさせた時、外側リング部材があたかも着用者の肌から浮いているような状態となり、この状態で外側リング部材を回転できるという特長がある。
【００１１】
さらに、本発明の装飾品は、これをダイヤモンドを全周に配したエタニティーリング、パヴェセットダイヤモンドリング、フルダイヤモンドのバングルなどに適用した場合、上記の回転効果によってダイヤモンドの輝きをより一層良く表現できる。
【発明を実施するための最良の形態】
【００１２】
以下に本発明の実施形態を添付図面を参照して詳細に説明する。
【００１３】
（実施形態１）
図１から図４に、本発明の第１の実施形態の装飾品を示した。この実施形態は本発明を指輪に適用した例である。図１において、この装飾品は、内側リング部材１と、外側リング部材２とから構成されている。
【００１４】
内側リング部材１は、図２を更に参照して、リング状、つまり中空円状（ドーナツ状）の本体部分の外周に、少なくとも３つ、図示した例では４個の突起１１が設けられている。これらの突起１１は、内側リング部材１の外周に突起１１を一体形成すること、あるいは内側リング部材１の外周に別体で形成した突起１１を固着ないし固定する、などの適宜な方法で設けられる。ここで、固着ないし固定はたとえば鑞付け（ロウ付け）で行われる。突起１１は、少なくともその外周部分（外側リング部材２の内周面との当接部分）が球面状のものである。図示した例では、内側リング部材１の外周から突出した部分が全て球面状となっている。これらの突起１１は、内側リング部材１の外周上において等間隔で設けられ、例えば図示したように４個の突起１１を設ける場合には内側リング部材１の中心に対して９０°の間隔で配置される。なお、内側リング部材１、突起１１はそれぞれ適宜な金属材料、例えば各種の貴金属ないしそれらの合金で作られる。
【００１５】
外側リング部材２は、その外径が内側リング部材の内径より大きいものであり、またその内周面には凹溝２１が形成されている。この凹溝２１の底面における内径は、内側リング部材１の突起１１における外径と略同じである。そして、この底面には、図示したように、内側リング部材１の突起１１が、より詳しくは突起１１の外周端が当接する。なお、外側リング部材２は適宜な金属材料、例えば各種の貴金属ないしそれらの合金で作られる。
【００１６】
ここで、外側リング部材２は、図示した例では、図３および図４を更に参照して、２つのリング状部品２２と２３とを径方向に組み合わせて構成される。リング状部品２２は、断面Ｌ字形のものであり、その内周面２１１は上記凹溝２１の主要部を構成する。またリング状部品２３は断面Ｉ字状ものであり、その内周面が上記凹溝２１の残りの部分を構成する。そして、リング状部品２３の外径はリング状部品２２の内周面２１１の外径と略同じであり、この内周面２１１上にリング状部品２３を嵌め込むことで、外側リング部材２が作られる。
【００１７】
このような構造の実施形態１の装飾品では、内側リング部材１をリング状部品２２の内周面上に嵌入ないし嵌め込んだ後、リング状部品２３をリング状部品２２の内周面に嵌め込む。これにより、内側リング部材１の外周部（突起１１を含む）が凹溝２１内に収容された状態となる。また、この状態では、凹溝２１の外縁に内側リング部材１の外周部が当接した状態となる。
【００１８】
上述した構成である実施形態１の装飾品（指輪）では、これを着用者の指に装着した場合、内側リング部材１の内周面が着用者の指の外面に密着してフィットした状態となる。ここで、内側リング部材１上の突起１１と外側リング部材２の凹溝２１とが当接し、また突起１１が凹溝２１内で摺動することで、内側リング部材１に対して外側リング部材２が回転自在となる。即ち、突起１１の外周端をガイドとして外側リング部材４が内側リング部材３に対して回転自在となる。
【００１９】
つまり、内側リング部材からは自由な状態になった外側リング部材は、装飾品自体が着用者の肌に密着しているにも拘わらず、滑らかに回転させることができる。また、内側リング部材と外側リング部材との接点をできるだけ少なくすることで（上記実施形態のように４つの接点とすることで）、回転はより滑らかになる。
【００２０】
なお、上記実施形態１の変形例として、内側リング部材に代えて外側リング部材の内周面に周方向に４つの突起を設け、これら突起を内側リング部材の内周面に当接させることで、外側リング部材を内側リング部材に対して回転自在な構造としても良い。
【００２１】
（実施形態２）
次に、図５から図８に、本発明の第２の実施形態の装飾品を示した。この実施形態も本発明を指輪に適用した例である。図５において、この装飾品は、内側リング部材３、外側リング部材４、および保持部材５から構成されている。
【００２２】
内側リング部材３は、図６を更に参照して、リング状の本体部分の外周に凹溝３１を形成したものである。また外側リング部材４は、図７をさらに参照して、その内径が内側リング部材３の外径よりも大きい。
【００２３】
また、外側リング部材４には、少なくとも３つ、図示した例では４つの孔４１を等間隔に形成され、例えば図示した例では外側リング部材４の中心に対して９０°の間隔で配置される。さらに、孔４１の大きさは、保持部材５の外径と略同じである。なお、図示した例では孔４１は円形であるが、これに限定されず、例えば四角形、六角形などの適宜な形状とできる。
【００２４】
保持部材５は、図８をさらに参照して、略円筒状の本体にこれより小径の保持片５１を設けたものである。保持片５１は本体に一体成形することがコストおよび位置精度上は好ましいが、別体で形成したものを本体に固着ないし固定（鑞付けなどで）したものでも良い。なお、図示した例では保持部材は円筒状であるが、これに限定されず、例えば四角柱、六角柱などの、上記外側リング部材４の孔４１の形状などに応じて適宜な形状とできる。なお、内側リング部材３、外側リング部材４、保持部材５はそれぞれ適宜な金属材料、例えば各種の貴金属ないしそれらの合金で作られる。
【００２５】
この構造の実施形態２の装飾品では、内側リング部材３の外周に外側リング部材４を配設した状態で、外側リング部材３の各孔４１にそれぞれ保持部材５を内周方向に入れる。そして、各孔４１内に挿入された４つの保持部材５の保持片５１の先端部を内側リング部材３の外周面にそれぞれ当接させた状態で、各保持部材５を外側リング部材４に固定ないいし固着する。固定（固着）は、例えば鑞付けにより行われる。ここで、保持部材５は、以下のように外側リング部材４を内側リング部材３に対して回転させる際には、視覚的なアクセントとなり、またこの保持部材４にダイヤモンドを組み込むなどの幅広い応用・展開ができる。
【００２６】
また、保持部材５の外周に雄ネジを、また孔４１の内周面に雌ネジをそれぞれ形成し、これら雄ネジと雌ネジとの螺合により固定（固着）を行う構成でも良い。このようなネジ構造とすることで、ロウ付けを行うことなく組み立てができる、またネジの頭部が視覚的なアクセントとなり、例えば外側リング部材の回転が強調されるようになる。
【００２７】
上述した構成である実施形態２の装飾品（指輪）では、これを着用者の指に装着した場合、内側リング部材３の内周面が着用者の指の外面に密着してフィットした状態となる。ここで、外側リング部材４に固定された保持部材５の保持片５１の先端部と内側リング部材３の内周面とが当接し、また保持片５１の先端部が内側リング部材３の内周面に摺接することで、内側リング部材３に対して外側リング部材４が回転自在となる。即ち、保持部材５の内周端部（保持片５１の先端部）をガイドとして外側リング部材４が内側リング部材３に対して回転自在となる。
【００２８】
即ち、外側リング部材４に設けた保持部材の保持片の先端部をガイドとして、内側リング部材からフリー状態になった外側リング部材は、装飾品自体が肌に密着しているにも拘わらず、滑らかに回転できる。
【００２９】
なお、上記実施形態２の変形例として、外側リング部材に代えて内側リング部材に孔を設けると共に、この内側リング部材の孔から保持部材を外周方向に入れ、保持部材の保持片の先端部を外側リング部材の内周面に当接させ、またこの当接状態で保持部材を内側リング部材に固定ないし固着することで、外側リング部材を内側リング部材に対して回転自在な構造としても良い。
【００３０】
また、以上は内側リング部材と外側リング部材とを４箇所で当接した例であるが、その他、両部材を３箇所、あるいは５箇所以上で当接させるようにしても良いことは勿論である。あるいはさらに、上記の突起や保持部材などを設けない構成としても良い。
【図面の簡単な説明】
【００３１】
【図１】（ａ）は本発明の第１の実施形態の装飾品を示した平面図、（ｂ）は同じく側面図である。
【図２】（ａ）は第１の実施形態を構成する内側リング部材の平面図、（ｂ）は同じく側面図である。
【図３】（ａ）は第１の実施形態の外側リング部材を構成するリング部材の平面図、（ｂ）は（ａ）におけるＡ−Ａ線の断面図である。
【図４】（ａ）は第１の実施形態の外側リング部材を構成する他のリング部材の平面図、（ｂ）は（ａ）におけるＢ−Ｂ線の断面図である。
【図５】（ａ）は本発明の第２の実施形態の装飾品を示した平面図、（ｂ）は同じく側面図である。
【図６】（ａ）は第２の実施形態を構成する内側リング部材の平面図、（ｂ）は同じく側面図である。
【図７】（ａ）は第２の実施形態を構成する外側リング部材の平面図、（ｂ）は同じく側面図である。
【図８】（ａ）は第２の実施形態を構成する保持部材の平面図、（ｂ）は同じく側面図である。
【符号の説明】
【００３２】
１  内側リング部材
２  外側リング部材
３  内側リング部材
４  外側リング部材
５  保持部材
１１  突起
２１  凹溝
３１  凹溝
５１  保持片
【図１】
2005074859.tif 000003
【図２】
2005074859.tif 000004
【図３】
2005074859.tif 000005
【図４】
2005074859.tif 000006
【図５】
2005074859.tif 000007
【図６】
2005074859.tif 000008
【図７】
2005074859.tif 000009
【図８】
2005074859.tif 000010